(57)【要約】      （修正有）【課題】迅速な取り外しが可能なコネクター構造を提供する。【解決手段】コネクター構造１００は第一連接部材１０、第二連接部材２０、固定構成部材３０を有する。第一連接部材１０は挿入接続孔１１を有し、挿入接続孔１１内には退出止めリング１２を設置し、退出止めリング１２内側には少なくとも１個の弾性係止片１２２を有する。第二連接部材２０は挿入接続孔１１に直列接続される。第二連接部材２０の外側には可動スリーブ２１を嵌めて設置する。可動スリーブ２１は移動して、弾性係止片１２２を押すことができる。第二連接部材２０の外側には少なくとも１個の係合槽２２を陥没状に設置する。弾性係止片１２２は係合槽２２に弾性嵌着する。これにより、弾性係止片１２２が係合槽２２に弾性嵌着することを通して、第一連接部材１０及び第二連接部材２０の連接を堅固にし、可動スリーブ２１が移動して弾性係止片１２２を押すと、弾性係止片１２２は、可動スリーブ２１に押され、係合槽２２を離脱する。【選択図】図２
0003209597.tif 000002
【実用新案登録請求の範囲】
【請求項１】
迅速な取り外しが可能なコネクター構造であって、第一連接部材、第二連接部材を有し、
前記第一連接部材は、挿入接続孔を有し、前記挿入接続孔内には、退出止めリングを設置し、前記退出止めリングの内側には、少なくとも１個の弾性係止片を有し、
前記第二連接部材は、前記挿入接続孔に直列接続され、前記第二連接部材の外周側には、直線移動が可能な可動スリーブを嵌めて設置し、前記可動スリーブは、移動して、前記弾性係止片を押すことができ、前記第二連接部材の外側には、前記弾性係止片に対応して、少なくとも１個の係合槽を陥没状に設置し、前記弾性係止片は、前記係合槽に弾性嵌着し、
前記弾性係止片が前記係合槽に弾性嵌着することを通して、前記第一連接部材及び前記第二連接部材の連接を堅固にし、さらに前記可動スリーブの設置を対応させ、前記可動スリーブが移動して前記弾性係止片を押すと、前記弾性係止片は、前記可動スリーブに押され、前記係合槽を離脱し、これにより前記第二連接部材は前記第一連接部材を離脱することを特徴とする迅速な取り外しが可能なコネクター構造。
【請求項２】
前記第一連接部材は、前記挿入接続孔内に環槽を陥没状に設置し、
前記環槽には、前記退出止めリングを取り付け、これにより前記環槽には、少なくとも１個の活動区を形成し、
前記弾性係止片が前記可動スリーブに押されると、前記弾性係止片は、前記活動区へ湾曲することを特徴とする請求項１に記載の迅速な取り外しが可能なコネクター構造。
【請求項３】
前記退出止めリングは、環状部材を有し、
前記環状部材の片側外周縁には、複数の固定片及び複数の弾性係止片を、間隔を開けて突出状に設置し、
前記各２個の固定片の間には、弾性係止片を有し、前記弾性係止片は、前記環状部材の内側へ向かって傾斜することを特徴とする請求項２に記載の迅速な取り外しが可能なコネクター構造。
【請求項４】
前記係合槽は、前記第二連接部材の外側を取り囲み、しかも前記係合槽の槽壁には、接触面及びガイド斜面を形成し、
前記第一連接部材が、前記第二連接部材に直列接続すると、前記弾性係止片は、前記ガイド斜面に嵌り、続いて前記接触面に接触することを特徴とする請求項１に記載の迅速な取り外しが可能なコネクター構造。
【請求項５】
前記第一連接部材は、管状を呈し、しかも前記第一連接部材の一端外側を取り囲んで、位置制限ブロックを突出状に設置し、前記位置制限ブロック上には、Ｏリングを取り付け、
前記第一連接部材のもう一端の外周側には、外ネジヤマを設置することを特徴とする請求項１に記載の迅速な取り外しが可能なコネクター構造。
【請求項６】
前記外ネジヤマには、ナットを螺接し、前記ナットと前記位置制限ブロックとの間には、位置制限空間を構成することを特徴とする請求項５に記載の迅速な取り外しが可能なコネクター構造。
【請求項７】
前記迅速な取り外しが可能なコネクター構造は、固定構成部材をさらに有し、
前記固定構成部材は、前記第一連接部材に取り付け、前記固定構成部材は、保持部材、デュアル銅リング、連接ブロック、固定カバー及び銅管を有し、
前記銅管の外側には、前記固定カバーを嵌めて設置し、
前記保持部材、前記デュアル銅リング、前記連接ブロックは、前記銅管内に取り付けられ、
前記保持部材と前記連接ブロックとの間には、前記デュアル銅リングを挟んで設置し、
前記保持部材には、穿孔を貫通状に設置し、
前記連接ブロックには、貫通孔を貫通状に設置し、前記貫通孔には、伝送端子を挿入して設置し、
同軸ケーブルは、前記穿孔に挿入して設置し、続いて前記伝送端子に連接することを特徴とする請求項１に記載の迅速な取り外しが可能なコネクター構造。
【請求項８】
前記第一連接部材の挿入接続孔内壁には、凸ブロックを環状に設置し、
前記銅管の外周側には、押し上げブロックを取り囲んで突出状に設置し、
前記銅管が前記挿入接続孔内に挿入して設置されると、前記押し上げブロックは、前記凸ブロックに接触することを特徴とする請求項７に記載の迅速な取り外しが可能なコネクター構造。
【請求項９】
前記第二連接部材には、組立孔を貫通状に設置し、組立端及び連接端を有し、
前記組立端は、前記第一連接部材の挿入接続孔に対応して挿入接続され、
前記連接端には、連接構成部材を組み立て、同軸ケーブルを連接し、
前記第二連接部材の組立端外周側には、凹槽を陥没状に設置し、
前記凹槽には、Ｏリングを取り付け、
前記係合槽は、前記組立端と前記連接端との間に位置し、
前記第二連接部材の前記連接端に近い位置を取り囲んで、係止ブロックを突出状に設置することを特徴とする請求項１に記載の迅速な取り外しが可能なコネクター構造。
【請求項１０】
前記連接構成部材は、リベット接続銅管、熱縮銅管及び挿入接続ブロックを有し、
前記リベット接続銅管は、前記第二連接部材の連接端に嵌めて設置し、前記係止ブロックに接触し、
前記熱縮銅管は、前記リベット接続銅管に嵌めて設置し、
前記挿入接続ブロックには、円孔を貫通状に設置し、前記挿入接続ブロックは、前記第二連接部材内に設置され、しかも前記円孔には、伝送端子を挿入して設置し、
同軸ケーブルは、前記第二連接部材の組立孔に挿入して設置され、前記伝送端子に連接することを特徴とする請求項９に記載の迅速な取り外しが可能なコネクター構造。
【考案の詳細な説明】
【技術分野】
【０００１】
本考案はコネクターに関し、特に迅速な取り外しが可能なコネクター構造に関する。
【背景技術】
【０００２】
技術が日進月歩で発展する現代においては、多くのハイテク製品が生まれている。テレビ、コンピューター等マルチメディア設備及び通信設備などのハイテク製品の多くは同軸ケーブルジョイントを使用して、信号を伝送する。通信ネットワーク連接技術の発展においては、同軸ケーブルを利用し、マルチメディア設備及び通信設備を連接し、情報、マルチメディアファイル、他の応用サービスを伝送し、使用者に好ましい実用性と利便性を提供している。
【０００３】
有線テレビ、ブロードバンド情報、マイクロ波信号伝送等の面に実際に応用される同軸ケーブルの伝送距離は５０〜１０００フィートの範囲で、外経は０．２５〜１インチである。室内伝送距離が比較的短い（約６〜２４インチ）設備であるため、外経が０．１〜０．１４インチ等の比較的小さい同軸ケーブルを使用し、狭い空間及び湾曲半経の制限を克服する必要がある。
このタイプの外経が比較的小さい同軸ケーブルは、ＳＭＡ、ＳＭＢ及びＭＣＸ等の正確なマイクロコネクターを使用する必要がある。しかし、それは実験室等の精密な設備を設置するコントロールされた環境内のケーブル上で連接され、この同軸ケーブルを緊密に挟持し、コネクター上に連接する必要がある。
【０００４】
また、ＳＭＡ、ＳＭＢ及びＭＣＸ等の現在常用されるコネクターはおおよそ、台体、及び台体に通して設置される若干の導電連接端子により組成され、次に導電片を有するジョイントを台体に挿入して設置する。これにより、連接端子と導電片とは相互に接続し、電性通路を形成する。しかし、外力に引っ張られた時、台体及びジョイントは緩んで抜けやすく、導電連接端子と導電片との電性連接が不完全となってしまい、これにより、電力或いは電子信号の伝送品質は低下する。台体とジョイントとをいかにして有効に固定し、安定的かつ堅固に結合させ、及び台体とジョイントとをいかにしてスピーディーに抜き差しできるようにするかは、コネクター業界の課題である。
【０００５】
コネクターを電信ネットワークに実際に応用する場合の効率及び信頼性は、ケーブルセクション、ネットワーク設備、装置及び他のケーブルセクションとの間の連接品質など各種要素により決まる。電信設備は工場、自動車、工業設備、軍用設備、及び携帯電話アクセスポイントなどの過酷な環境にますます多く使用されるようになっている。このような環境中では、コネクターはしばしば振動、衝撃、温度変化及び他の過酷な状況にさらされるなどで、予想外に分離されてしまうことがある。また、各構成部材間の連接も、ホコリ、汚れ、水蒸気及び／或いは他の汚染物の進入により不利な影響を受けている。
【考案の概要】
【考案が解決しようとする課題】
【０００６】
本考案の主な目的は、全体構造を破壊せずに、コネクターを便利に素早く抜き差しでき、使用状況に応じてコネクターを分解でき、パーツを交換でき、こうして修理とメンテナンス上のコストを引き下げられ、交換作業の困難性を減らすことができる迅速な取り外しが可能なコネクター構造に関する。
【０００７】
本考案の次の目的は、ケーブルを堅固に接合でき、機構及び信号伝送の品質を確保でき、良好な電気特性を備える迅速な取り外しが可能なコネクター構造に関する。
【０００８】
本考案のさらに一つの目的は、振動、衝撃、温度変化及び他の過酷な状況にさらされ、予想外に分離されてしまう状況の発生を防止できるばかりか、同時にコネクター内の各パーツ間の連接にホコリ、汚れ、水蒸気及び／或いは他の汚染物が進入することを防止もできる迅速な取り外しが可能なコネクター構造に関する。
【課題を解決するための手段】
【０００９】
上述の目的を実現するために、本考案による迅速な取り外しが可能なコネクター構造は、第一連接部材、第二連接部材、固定構成部材を有する。該第一連接部材は、挿入接続孔を有し、該挿入接続孔内には、退出止めリングを設置し、該退出止めリングの内側には、少なくとも１個の弾性係止片を有する。該第二連接部材は、該挿入接続孔に直列接続される。該第二連接部材の外周側には、直線移動が可能な可動スリーブを嵌めて設置する。該可動スリーブは、移動して、該弾性係止片を押すことができる。該第二連接部材の外側には、該弾性係止片に対応して、少なくとも１個の係合槽を陥没状に設置する。該弾性係止片は、該係合槽に弾性嵌着する。
【００１０】
好ましくは、該第一連接部材は、該挿入接続孔内に環槽を陥没状に設置する。該環槽には、該退出止めリングを取り付け、これにより該環槽には、少なくとも１個の活動区を形成する。
該弾性係止片が該可動スリーブに押されると、該弾性係止片は、該活動区へ湾曲する。
【００１１】
好ましくは、該退出止めリングは、環状部材を有する。該環状部材の片側外周縁には、複数の固定片及び複数の弾性係止片を、間隔を開けて突出状に設置する。該各２個の固定片の間には、弾性係止片を有する。該弾性係止片は、該環状部材の内側へ向かって傾斜する。
【００１２】
好ましくは、該係合槽は、該第二連接部材の外側を取り囲む。しかも、該係合槽の槽壁には、接触面及びガイド斜面を形成する。該第一連接部材が、該第二連接部材に直列接続すると、該弾性係止片は、該ガイド斜面に嵌り、続いて該接触面に接触する。
【００１３】
好ましくは、該第一連接部材は、管状を呈し、しかも該第一連接部材の一端外側を取り囲んで、位置制限ブロックを突出状に設置する。該位置制限ブロック上には、Ｏリングを取り付ける。該第一連接部材のもう一端の外周側には、外ネジヤマを設置する。
【００１４】
好ましくは、該外ネジヤマには、ナットを螺接する。該ナットと該位置制限ブロックとの間には、位置制限空間を構成する。
【００１５】
好ましくは、固定構成部材をさらに有し、該固定構成部材は、該第一連接部材に取り付ける。該固定構成部材は、保持部材、デュアル銅リング、連接ブロック、固定カバー及び銅管を有する。該銅管の外側には、該固定カバーを嵌めて設置する。該保持部材、該デュアル銅リング、該連接ブロックは、該銅管内に取り付けられる。該保持部材と該連接ブロックとの間には、該デュアル銅リングを挟んで設置する。該保持部材には、穿孔を貫通状に設置する。該連接ブロックには、貫通孔を貫通状に設置する。該貫通孔には、伝送端子を挿入して設置する。同軸ケーブルは、該穿孔に挿入して設置し、続いて該伝送端子に連接する。
【００１６】
好ましくは、該第一連接部材の挿入接続孔内壁には、凸ブロックを環状に設置する。該銅管の外周側には、押し上げブロックを取り囲んで突出状に設置する。該銅管が該挿入接続孔内に挿入して設置されると、該押し上げブロックは、該凸ブロックに接触する。
【００１７】
好ましくは、該第二連接部材には、組立孔を貫通状に設置し、組立端及び連接端を有する。該組立端は、該第一連接部材の挿入接続孔に対応して挿入接続される。該連接端には、連接構成部材を組み立て、同軸ケーブルを連接する。該第二連接部材の組立端外周側には、凹槽を陥没状に設置する。該凹槽には、Ｏリングを取り付ける。該係合槽は、該組立端と該連接端との間に位置する。該第二連接部材の該連接端に近い位置を取り囲んで、係止ブロックを突出状に設置する。
【００１８】
好ましくは、該連接構成部材は、リベット接続銅管、熱縮銅管及び挿入接続ブロックを有する。該リベット接続銅管は、該第二連接部材の連接端に嵌めて設置し、該係止ブロックに接触する。該熱縮銅管は、該リベット接続銅管に嵌めて設置する。該挿入接続ブロックには、円孔を貫通状に設置する。該挿入接続ブロックは、該第二連接部材内に設置され、しかも該円孔には、伝送端子を挿入して設置する。同軸ケーブルは、該第二連接部材の組立孔に挿入して設置され、該伝送端子に連接する。
【考案の効果】
【００１９】
本考案による迅速な取り外しが可能なコネクター構造は、弾性係止片が係合槽に弾性嵌着することを通して、第一連接部材及び該第二連接部材の連接を堅固にする。また、さらに可動スリーブの設置を対応させ、可動スリーブが移動して弾性係止片を押すと、弾性係止片は、可動スリーブに押され、係合槽を離脱し、これにより、第二連接部材は第一連接部材を離脱する。
こうして本考案は、全体構造を破壊しなくとも、取り付けと取り外しが可能となり、コネクターを便利かつスピーディーに取り付け、取り外しでき、同時に使用状況に応じてコネクターを分解し、パーツを交換でき、こうして修理とメンテナンス上のコストを引き下げられ、及び交換作業の困難性を減らすことができる。
【図面の簡単な説明】
【００２０】
【図１】本考案による第一実施形態の立体図である。
【図２】本考案による第一実施形態の分解立体図である。
【図３】本考案による第一実施形態の断面図である。
【図４】本考案による第一実施形態の動作模式図である。
【図５】本考案による第一実施形態の動作模式図である。
【図６】本考案による第一実施形態の動作模式図である。
【図７】本考案による第一実施形態の使用状態模式図である。
【図８】本考案による第二実施形態の断面図である。
【考案を実施するための形態】
【００２１】
以下に本考案の技術内容、構造特徴、達成する目的及び作用効果について、以下に例を挙げ並びに図面を組み合わせて詳細に説明する。
【００２２】
本考案による第一実施形態の立体図、分解立体図及び断面図である図１、図２及び図３に示す通り、迅速な取り外しが可能なコネクター構造１００は、第一連接部材１０、第二連接部材２０、固定構成部材３０を有する。
第一連接部材１０は、挿入接続孔１１を有する。挿入接続孔１１内には、環槽１１１を陥没状に設置する。環槽１１１には、退出止めリング１２を取り付け、これにより環槽１１１には、少なくとも１個の活動区１１２を形成する。退出止めリング１２の内側には、少なくとも１個の弾性係止片１２２を有する。本実施形態中では、退出止めリング１２は、環状部材１２１を有する。環状部材１２１の片側外周縁には、複数の固定片１２３及び複数の弾性係止片１２２を、間隔を開けて突出状に設置する。各２個の固定片１２３の間には、弾性係止片１２２を有する。弾性係止片１２２は、環状部材１２１の内側へ向かって傾斜する。弾性係止片１２２が外力を受けて圧迫されると、弾性係止片１２２は、活動区１１２へ湾曲する。
【００２３】
また、図２に示す通り、第一連接部材１０は、管状を呈し、しかも第一連接部材１０の一端外側を取り囲んで、位置制限ブロック１３を突出状に設置する。挿入接続孔１１の内側壁には、凸ブロック１４を環状に設置する。位置制限ブロック１３上には、Ｏリング１５を取り付ける。第一連接部材１０のもう一端の外周側には、外ネジヤマ１６を設置する。外ネジヤマ１６には、ナット１７を螺接する。ナット１７と位置制限ブロック１３との間には、位置制限空間１８を構成する。
【００２４】
第二連接部材２０は、挿入接続孔１１に直列接続される。第二連接部材２０の外周側には、直線移動が可能な可動スリーブ２１を嵌めて設置する。可動スリーブ２１は、移動して、弾性係止片１２２を押すことができる。また、第二連接部材２０の外側には、弾性係止片１２２に対応して、少なくとも１個の係合槽２２を陥没状に設置する。弾性係止片１２２は、係合槽２２に弾性嵌着する。
本実施形態中では、係合槽２２は、第二連接部材２０の外側を取り囲む。しかも、係合槽２２の槽壁には、接触面２２１及びガイド斜面２２２を形成する。また、第一連接部材１０が、第二連接部材２０に直列接続すると、弾性係止片１２２は、ガイド斜面２２２に嵌り、続いて接触面２２１に接触する。
【００２５】
本実施形態中では、第二連接部材２０には、組立孔２３を貫通状に設置し、組立端２３１及び連接端２３２を有する。組立端２３１は、第一連接部材１０の挿入接続孔１１に対応して挿入接続される。連接端２３２には、連接構成部材４０を組み立て、並連接同軸ケーブル６０，また、第二連接部材２０の組立端２３１外周側には、凹槽２４を陥没状に設置する。凹槽２４には、Ｏリング２５を取り付ける。係合槽２２は、組立端２３１と連接端２３２との間に位置する。第二連接部材２０の連接端２３２に近い位置を取り囲んで、係止ブロック２６を突出状に設置する。
【００２６】
固定構成部材３０は、第一連接部材１０に取り付ける。固定構成部材３０は、保持部材３１、デュアル銅リング３２、連接ブロック３３、固定カバー３４及び銅管３５を有する。銅管３５の外側には、固定カバー３４を嵌めて設置する。保持部材３１、デュアル銅リング３２、連接ブロック３３は、銅管３５内に取り付けられる。保持部材３１と連接ブロック３３との間には、デュアル銅リング３２を挟んで設置する。また、保持部材３１には、穿孔３１１を貫通状に設置する。連接ブロック３３には、貫通孔３３１を貫通状に設置する。貫通孔３３１には、伝送端子５０を挿入して設置する。同軸ケーブル６０は、穿孔３１１に挿入して設置し、続いて伝送端子５０に連接する。
本実施形態中では、銅管３５の外周側には、押し上げブロック３５１を取り囲んで突出状に設置する。銅管３５が挿入接続孔１１内に挿入して設置されると、押し上げブロック３５１は、凸ブロック１４に接触する。
【００２７】
続けて図２に示す通り、連接構成部材４０は、リベット接続銅管４１、熱縮銅管４２及び挿入接続ブロック４３を有する。リベット接続銅管４１は、第二連接部材２０の連接端２３２に嵌めて設置し、係止ブロック２６に接触し、熱縮銅管４２は、リベット接続銅管４１に嵌めて設置する。また、挿入接続ブロック４３には、円孔４３１を貫通状に設置する。挿入接続ブロック４３は、第二連接部材２０内に設置され、しかも円孔４３１には、伝送端子５０を挿入して設置する。同軸ケーブル６０は、第二連接部材２０の組立孔２３に挿入して設置され、伝送端子５０に連接する。
【００２８】
本考案による第一実施形態の動作模式図及び使用状態模式図である図４、図５、図６及び図７に示す通り、組立状態時には、本考案は、弾性係止片１２２は、係合槽２２に弾性嵌着し、第一連接部材１０及び第二連接部材２０の連接を堅固にする。分解状態時には、本考案は、可動スリーブ２１の設置を通して、可動スリーブ２１が移動して弾性係止片１２２を押すと、弾性係止片１２２は、可動スリーブ２１に押され、係合槽２２を離脱する。これにより、第二連接部材２０は第一連接部材１０を離脱する。
ナット１７及び位置制限ブロック１３の構造設置により、組合使用状態時には、ナット１７及び位置制限ブロック１３は、キャリア２００（テレビ、コンピューター等マルチメディア設備及び通信設備など）に取り付けられる。
これにより、本考案は、全体構造を破壊しなくとも、取り付けと取り外しが可能となり、こうして迅速な取り外しが可能なコネクター構造１００のスピーディーな取り付け、取り外しを達成できる。同時に、使用状況に応じて、コネクター構造１００を分解し、パーツを交換でき、こうして修理とメンテナンス上のコストを引き下げられ、及び交換作業の困難性を減らすことができる。
【００２９】
続いて、本考案による第二実施形態の断面図である図８に示す通り、本実施形態と第一実施形態との相違点は以下の通りである。第一連接部材１０は、連接構成部材４０に連接し、第二連接部材２０は、固定構成部材３０に連接する。しかも本実施形態は、同様に、弾性係止片１２２が係合槽２２に弾性嵌着する構造設置により、第一連接部材１０及び第二連接部材２０の連接を堅固にする。また同様に、可動スリーブ２１の設置を通して、可動スリーブ２１が移動して弾性係止片１２２を押すと、弾性係止片１２２は、可動スリーブ２１に押され、係合槽２２を離脱し、これにより、第二連接部材２０は第一連接部材１０を離脱する。これにより、本実施形態は、第二実施形態の実施効果を達成できる。
【００３０】
コネクターは、長期間、屋外で使用されると、しばしばその外表面にホコリや土が付着し、それにより破裂や損壊等が起きることもあるが、本考案では各Ｏリング１５、２５の設置により、挿入接続孔１１内への外部液体、ホコリ等の進入を防止し、及び外部汚染物のコネクター信号伝送の品質への影響を防止する。
【００３１】
本考案の特徴及びそれが達成可能な効果は以下の通りである。
本考案の迅速な取り外しが可能なコネクター構造１００は、弾性係止片１２２により係合槽２２に弾性嵌着することで、第一連接部材１０及び第二連接部材２０の連接を堅固にする。また、可動スリーブ２１の設置を対応させ、可動スリーブ２１が移動して弾性係止片１２２を押すと、弾性係止片１２２は、可動スリーブ２１に押され、係合槽２２を離脱する。これにより、第二連接部材２０は第一連接部材１０を離脱する。
【００３２】
これにより、本考案は、以下の実施効果を備える。
一、本考案は全体構造を破壊せずに、コネクターを便利に素早く抜き差しでき、使用状況に応じてコネクターを分解でき、パーツを交換でき、こうして修理とメンテナンス上のコストを引き下げられ、及び交換作業の困難性を減らすことができる。
二、本考案は、ケーブルを堅固に接合でき、機構及び信号伝送の品質を確保でき、及び良好な電気特性を備える。
三、本考案は振動、衝撃、温度変化及び他の過酷な状況にさらされ、予想外に分離されてしまう状況の発生を防止できるばかりか、同時にコネクター内の各パーツ間の連接にホコリ、汚れ、水蒸気及び／或いは他の汚染物が進入することを防止もできる。
【００３３】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３４】
１００  コネクター構造
１０  第一連接部材
１１  挿入接続孔
１１１  環槽
１１２  活動区
１２  退出止めリング
１２１  環状部材
１２２  弾性係止片
１２３  固定片
１３  位置制限ブロック
１４  凸ブロック
１５  Ｏリング
１６  外ネジヤマ
１７  ナット
１８  位置制限空間
２０  第二連接部材
２１  可動スリーブ
２２  係合槽
２２１  接触面
２２２  ガイド斜面
２３  組立孔
２３１  組立端
２３２  連接端
２４  凹槽
２５  Ｏリング
２６  係止ブロック
３０  固定構成部材
３１  保持部材
３１１  穿孔
３２  デュアル銅リング
３３  連接ブロック
３３１  貫通孔
３４  固定カバー
３５  銅管
３５１  押し上げブロック
４０  連接構成部材
４１  リベット接続銅管
４２  熱縮銅管
４３  挿入接続ブロック
４３１  円孔
５０  伝送端子
６０  同軸ケーブル
２００  キャリア
【図１】
0003209597.tif 000003
【図２】
0003209597.tif 000004
【図３】
0003209597.tif 000005
【図４】
0003209597.tif 000006
【図５】
0003209597.tif 000007
【図６】
0003209597.tif 000008
【図７】
0003209597.tif 000009
【図８】
0003209597.tif 000010